(57)【特許請求の範囲】
【請求項１】
機械装置における機体の底壁に機体移動用のキャスターとともに設けられて、前記機械装置を設置面上に支持する支持脚の構造であって、前記底壁の下面側に配置され、この底壁に対して上下方向にのみ移動可能に設けられた支持脚本体と、前記底壁の上面側に配置され、この底壁に対して回転のみ可能に設けられた操作部材と、前記操作部材を前記支持脚本体に連動連結するための連動手段とが備えられ、前記操作部材の回転により、前記連動手段を介して前記支持脚本体を上下方向に移動させて、支持脚の下端を前記キャスターの下端よりも上方位置と下方位置に位置変更可能としていることを特徴とする機械装置の支持構造。
【請求項２】
支持脚本体の上端にはネジ軸部が設けられる一方、連動手段が、前記操作部材に設けられた雌ネジと、前記ネジ軸部に設けられて前記雌ネジに螺合可能な雄ネジから構成されていることを特徴とする請求項１に記載の機械装置の支持脚構造。
【発明の詳細な説明】
【技術分野】
【０００１】
本発明は、主としてプリント用紙への画像の焼き付け処理や画像が焼き付けられたプリント用紙の現像処理を行う画像処理装置などの機械装置において、この機械装置における機体の下面に取付ける支持脚の構造に関する。
【背景技術】
【０００２】
一般に、プリント用紙への画像の焼き付け処理や画像が焼き付けられたプリント用紙の現像処理を行う画像処理装置は、重量が重いことから、図６に示すように、機体Ａにおける底壁Ｂの下面四隅には、キャスター等の走行輪Ｃが設けられるとともに、前述の走行輪Ｃに隣接して機体Ａにおける底壁Ｂの四隅下面には、高さ調節機能を備えた支持脚Ｄが設けられている。
【０００３】
支持脚Ｄは、床面Ｅに接地する支持脚本体Ｆと、この支持脚本体Ｆの上面から立ち上がるネジ部Ｇとが備えられ、ネジ部Ｇの下端部には、スパナなどの工具により回転操作するための操作部Ｈが一体に設けられ、スパナなどの工具により操作部Ｈを回転操作して、ネジ部Ｇを機体Ａのネジ孔に対して螺進若しくは螺退させて、支持脚本体Ｆを機体Ａに対して上下方向に移動させるようにしている。（特許文献１参照）。
【０００４】
そしてこの画像処理装置は、まず支持脚Ｄのネジ部Ｇを機体Ａ側に螺進させて、支持脚本体Ｆの下端を走行輪Ｃの下端より上方に位置させた上で、走行輪Ｃを介して画像処理装置を設置場所まで走行移動させ、しかる後、スパナなどの工具により操作部Ｈを回転操作して、支持脚本体Ｆの下面を床面Ｅに接地させるとともに走行輪Ｃを床面Ｅから少し浮き上がらせて、支持脚Ｄにより機体Ａを床面Ｅ上に支持するようにしている。
【特許文献１】特開平１０−２２７３９２号公報 ところで以上の画像処理装置の支持脚Ｄでは、操作部Ｈが機体Ａの底壁Ｂの下方に位置することから、例えば画像処理装置を室内の壁に沿って配置する場合において、その壁側の奥に位置する支持脚Ｄの高さを調整する作業を行なうためには、機体Ａの底壁Ｂを高くすることで、前記底壁Ｂと床面Ｅと間の隙間を大きくして、底壁の下方に高さ調整のための作業空間を確保しなければならず、それだけ機体Ａ内部の空間が狭くなる不具合がある。
【０００５】
以上の不具合に対してはネジ部Ｇの上端部を機体Ａの底壁Ｂ上に突出させて、その突出端部に操作部Ｈを設けて、機体Ａ内から高さ調整を行なう方法も考えられるが、操作部Ｈを機体Ａの底壁Ｂ上に単に配置しただけでは、支持脚Ｄの高さ調整に伴い、操作部Ｈの位置が上下方向に移動することから、この操作部のアジャスト代を考慮して、機体Ａ内の底壁Ｂ上に装填する各種構成機器を上方に配置しなければならず、底壁上にデッドスペースが生じる不具合が考えられる。
【発明の開示】
【発明が解決しようとする課題】
【０００６】
本発明は、以上の実情に鑑みて開発したものであって、目的とするところは、支持脚の高さ調整作業が機体内における底壁の上方から簡単に行なえて、しかも高さ調整を行なうも、その操作部の位置が上下に移動するようなことのない機械装置の支持脚構造を提供することにある。
【課題を解決するための手段】
【０００７】
以上の目的を達成するために、請求項１に記載の発明は、
機械装置における機体の底壁に機体移動用のキャスターとともに設けられて、前記機械装置を設置面上に支持する支持脚の構造であって、
前記底壁の下面側に配置され、この底壁に対して上下方向にのみ移動可能に設けられた支持脚本体と、前記底壁の上面側に配置され、この底壁に対して回転のみ可能に設けられた操作部材と、前記操作部材を前記支持脚本体に連動連結するための連動手段とが備えられ、前記操作部材の回転により、前記連動手段を介して前記支持脚本体を上下方向に移動させて、支持脚の下端を前記キャスターの下端よりも上方位置と下方位置に位置変更可能としていることを特徴とする。
【０００８】
また請求項２に記載の発明は、請求項１に記載の支持脚構造において、支持脚本体の上端にはネジ軸部が設けられる一方、前記連動手段が、前記操作部材に設けられた雌ネジと、前記ネジ軸部に設けられて、前記雌ネジに螺合可能な雄ネジから構成されていることを特徴とする。
【０００９】
斯くして請求項１または２に記載の支持脚は、底壁上から操作部材を操作することが出来、また操作部材を回転させるだけで、支持脚本体を上下方向に移動させて、支持脚の高さを調整することが出来る。
【発明の効果】
【００１０】
請求項１に記載の発明によれば、支持脚の高さ調整作業が、機体内における底壁上で行なえるのは勿論のこと、底壁上の操作部材を回転させるだけで簡単に行なうことが出来、従って、従来のように機体の底壁を高くする必要がなく、格言すれば、底壁と床面と間の隙間が狭くてもよいので、それだけ機体内部の有効空間を広くすることが出来る。
【００１１】
しかも請求項１に記載の発明によれば、支持脚の高さ調整時、操作部材の位置が上下に移動することがないので、機体内の底壁上に装填する各種構成機器を底壁に近接させて配置することが出来て、機体内のスペースを有効に利用することが出来る。
【００１２】
請求項２に記載の発明によれば、請求項１に記載の発明の効果に加え、連動手段の構造が簡単で、それだけ製造コストを安価とすることが出来る。
【発明を実施するための最良の形態】
【００１３】
図１及び図２は、本発明にかかる支持脚の構造を適用する画像処理装置の一例を概略的に示したものであって、この画像処理装置１は、写真感光材料の一例である印画紙に画像等の焼き付けを行うための焼付け処理部１ａと、この焼付け処理部１ａで焼き付け処理された印画紙を現像処理する現像処理部１ｂと、該現像処理部１ｂで現像処理された印画紙を乾燥する乾燥処理部１ｃと、乾燥処理された印画紙を排出するプリント排出部１ｃとが備えられている。
【００１４】
以上の画像処理装置１において、機体を構成するハウジング２内には、前述の焼付け処理部１ａ、現像処理部１ｂ、乾燥処理部１ｃ、プリント排出部１ｄを構成する各種構成機器が搭載されている。
【００１５】
具体的には、印画紙に画像を焼き付けるための露光装置、印画紙が装填されたペーパーマガジン、ペーパーマガジンから引き出される印画紙を搬送するための搬送装置などの焼き付け処理部１ａを構成する構成機器や、各種処理液を充填する処理液槽、処理液槽への補充液を格納する補充タンク１０などの現像処理部１ｂ構成する構成機器や、ヒーターなどの乾燥処理部１ｃを構成する構成機器などがハウジング２内に搭載されている。
【００１６】
補充タンク１０は、ハウジング２の底壁２０近くに設けられたスライド体２１に搭載されて、このスライド体２１と共にハウジング２の外部に引き出し可能としている。
【００１７】
またハウジング２の前面には、主として補充タンク１０をハウジング２外に引き出す際に用いる扉２２が設けられている。
【００１８】
以上の画像処理装置１は、底壁２０の下面側四隅にそれぞれ支持脚３とキャスター４が設けられており、本発明にかかる支持脚の構造は、ハウジング２の背面側で且つ補充タンク１０が設けられているコーナー部分に配置する支持脚３に適用しているのであって、次にこの支持脚構造を詳説する。
【００１９】
尚、その他のコーナー部分に配置されている支持脚３は、底壁２０の下方で操作を行なうようにした従来構造のものを設けている。
【００２０】
しかしてハウジング２の背面側で且つ補充タンク１０が設けられているコーナー部分に配置される支持脚３は、図３にも示すように、キャスター４と一体的にハウジング２の底２０の下面側に取り付けられている。
【００２１】
支持脚３は、図４にも示すように、上下方向に延びるロッド状の支持脚本体３１と、この支持脚本体３１の下端部に回転自由に組み付けられた逆皿状の設置板３２と、支持脚本体３１の上端から同軸状に延びるネジ軸部３３と、後記する操作部材３４及び支持筒３５とが備えられ、ネジ軸部３３の外周面には、雄ネジ３３ａが周設されている。
【００２２】
キャスター４は、図４にも示すように、円盤状の取り付け座４１と、この取り付け座４１に固定された下皿４２と、これら取り付け座４１及び下皿４２に対してスラストベアリング４３を介して回転自由に取り付けられたキャスター本体４４と、このキャスター本体４４に回転自由に取り付けられた走行輪４５とが備えられている。
【００２３】
そして底壁２０の下面には逆ハット型の補強メンバー２３が配設されて、この補強メンバー２３の下面にはキャスター４の取り付け座４１が固定されている。
【００２４】
また取り付け座４１及び下皿４２の中央に設けられた挿通孔４６には、上下方向に延びる円筒状の支持筒３５が嵌合されて、その上端部外周面が下皿４２に溶接により固着され、この支持筒３５内に支持脚３の支持脚本体３１が挿通されると共に、支持筒３５に装着したピン３６の先端部を、支持脚本体３１の外周面に形成した上下方向に延びるガイド溝３７に嵌合させることで、支持脚３が支持筒３５に対して、換言すれば、底壁２０に対して上下方向にのみ移動可能としている。
【００２５】
一方、操作部材３４は、その外周面が六角形をしたナット部材から形成され、その内周には雌ネジ３４ａが周設され、この雌ネジ３４ａとネジ軸部３３に形成された雄ネジ３３ａとで、操作部材３４を支持脚本体３１に連動連結させる連動手段が構成されている。
【００２６】
この操作部材３４は、支持筒３５の上端部に固着されたブッシュ３８に対して回転のみ可能に取り付けられると共に、雌ネジ３４ａにネジ軸部３３の雄ネジ３３ａに螺合させ、操作部材３４の回転操作により、支持脚３を底壁２０に対して上下方向に移動させるようにしているのであって、操作部材３４は、底壁２０に設けた貫通孔２４に遊挿されて、その上部側が底壁２０の上面側に突出させている。
【００２７】
そして実施形態では、図４に示すように、操作部材３４の操作により支持脚３を最も高い位置まで上昇させた時、ネジ軸部３３の上端は、操作部材３４の上端近くに位置してこの操作部材３４の上端よりも上方に突出しないように設定されている。
【００２８】
また操作部材３４の上方に位置する補充タンク１０及びこの補充タンク１０を搭載するスライド体２１は、図３にも示すように、その下面が操作部材の３４の上端に近接するようにハウジング2内に取り付けられている。
【００２９】
斯くしてハウジング2内の底壁２０上に生じるデッドスペースは極めて小さい。
【００３０】
次に以上の構造からなる支持脚３が設けられた画像処理装置１をその背面が室内の壁に沿うように配置する場合を説明する。
【００３１】
画像処理装置１を設置場所に設置するに際して、まず、図４に示すように、支持脚本体３１を上方に位置させてその設置板３２を床面Ｗから浮かせた状態で、キャスター４を介して画像処理装置１を所定の設置場所まで移動させ、続いて４つの支持脚３を底壁２０に対して降下させるのである。
【００３２】
その際、ハウジング２の背面側における補充タンク１０の下方に位置する支持脚３を降下させるには、先ず扉２２を開いて、ハウジング２内の補充タンク１０をスライド体２１と共にハウジング２の前面外方に引き出して、底壁２０上に突出する操作部材３４の上部を露呈させる。
【００３３】
そして、ハウジング２内においてこの操作部材３４の上部にスパナなどの工具をセットし、この工具を介して操作部材３４を所定方向に回転させて、図５に示すように、設置板３２が床面Ｗに当接して、キャスターの走行輪４５が床面Ｗに対して浮くまで、支持脚本体３１を降下させるのである。
【００３４】
またその他の３つの支持脚３も、設置板が床面Ｗに当接してキャスター４の走行輪４５が床面Ｗに対して浮くまで適宜降下させるのである。
【００３５】
これにより、画像処理装置１は、支持脚３を介して床面Ｗ上に安定良く設置される。
【００３６】
尚、画像処理装置の設置後は、外に引き出した補充タンク１０及びスライド体２１はハウジング２内に収めればよい。
【００３７】
斯くして、ハウジング２内から支持脚３の高さ調整作業作が行なえるので、従来のようにハウジングの底壁の下方において支持脚３の高さ調整作業を行なう場合に比べて、その作業が行い易いし、またハウジング２内から操作が行なえるので、底壁２０を床面に近接させることが出来、それだけハウジング２内のスペースを広くすることが可能であるし、またハウジング２内においては、操作部材３４の回転操作だけで支持脚２の高さ調整を行なうことが出来、しかも支持脚２の高さ調整が行なわれても、ハウジング2内においては、操作部材３４及び支持脚本体３１が上下方向に移動することがないので、補充タンク１０及びスライド体２１を操作部材３４に近接させて配置することが出来て、ハウジング２内における底壁２０上のデッドスペースをなくすことが出来る。
【００３８】
以上の実施形態では画像処理装置に適用したが、これに限定されるものではなく、走行輪により移動可能とする各種機械装置に適用出来る。
【００３９】
また以上の実施形態では、操作部材３４を支持脚本体３１に連動連結させる連動手段が、操作部材３４の内周に形成した雌ネジ３４ａと、ネジ軸部３３に形成した雄ネジ３３ａとから構成されたが、これに限定されるものではなく、操作部材３４の回転動作を上下方向の移動動作に変換して支持脚本体３１に伝達する連動連結機構であればよい。
【図面の簡単な説明】
【００４０】
【図１】本発明にかかる支持脚構造を適用する画像処理装置の概略正面図。
【図２】同、側面図。
【図３】画像処理装置の一部を切り欠いて本発明にかかる支持脚構造を示す正面図。
【図４】同、拡大正面図。
【図５】支持脚を床面に設置させた状態を示す拡大正面図。
【図６】従来の支持脚の構造を示す説明図。
【符号の説明】
【００４１】
１     画像処理装置
１０   補充タンク
２     ハウジング（機体）
２０   底壁
３     支持脚
３１   支持脚本体
３３   ネジ軸部
３３ａ 雄ネジ
３４   操作部材
３４ａ 雌ネジ
４     キャスター
【図１】
0004731128.tif 000002
【図２】
0004731128.tif 000003
【図３】
0004731128.tif 000004
【図４】
0004731128.tif 000005
【図５】
0004731128.tif 000006
【図６】
0004731128.tif 000007